(57)【要約】  運動用装置はヒンジで後板に枢動自在に固定される底板を備える足部接続架台を含む。後板は、人の脛部と係合するための脛部係合機構を含む踏み板と回動自在に固定される中央枢軸を含む。足部接続架台は、更に、下部ベンチと係合するための第１の受器を含む。少なくとも１つの遠位脚部は回転脚部マウントにおいて下部ベンチと固定され、下部ベンチは上部ベンチと係合するための第２の受器を含む。少なくとも１つの近位脚部は別の回転脚部マウントにおいて上部ベンチと固定される。上部ベンチの上側は、その上をベンチ台車が摺動するトラックを含む。ベンチ台車は少なくとも１つのクッションと、一対の横方向に延在するハンドルと、トラックと係合する少なくとも第１の対の車輪とを含む。
2019511300.tif 000002
【特許請求の範囲】
【請求項１】
支持面上で人によって用いられるための運動用装置であって、
ヒンジで後板に枢動自在に固定される底板を備える足部接続架台を備え、前記後板は踏み板の底部側と回動自在に固定される中央枢軸を含み、前記踏み板は、前記人の足が前記踏み板の上側に当接する間、前記人の脛部と係合するように、その上側から遠ざかる方向へ延在する脛部係合機構を有し、前記脛部係合機構はそれから横方向に突出する一対のＵ字形脛当てを含み、
それによって、前記底板が前記支持面と固定され、前記人の足が前記踏み板に当接しながら、前記踏み板は前記支持面上で運動を行うための所望の回転配向に前記人によって回転されてもよい、
運動用装置。
【請求項２】
前記回転ヒンジは、前記底板に対する前記後板及び踏み板の回転位置を摩擦により固定するのに適している選択的に調整可能な締付ノブを含む、請求項１に記載の運動用装置。
【請求項３】
前記後板及び踏み板は、更に、前記後板と前記踏み板との間の相対回転位置を選択的に固定するために適している回転ロック機構を含む、請求項１に記載の運動用装置。
【請求項４】
前記回転ロック機構は、それぞれが前記中央枢軸から共通距離に配置される複数のロック用開口部と、前記踏み板に固定され、前記ピンを前記ロック用開口部の１つに付勢するように偏向される解除レバー及びピン編成とを含み、それによって、前記解除レバーを上方に引くことは、前記ピンを前記ロック用開口部から引き出して、前記踏み板が前記枢軸を中心として前記後板に対して回転することを可能にする、請求項３に記載の運動用装置。
【請求項５】
請求項１に記載の運動用装置であって、前記底板は、更に、それから上方に突出し、少なくとも１つの環状ウエイトを受けるのに適しているウエイト用ロッドを含み、それによって、前記装置は前記少なくとも１つの環状ウエイトによって前記支持面に加重される、運動用装置。
【請求項６】
請求項１に記載の運動用装置であって、前記足部接続架台は更に第１の受器を含み、前記運動用装置は更に下部ベンチを含み、
前記下部ベンチは、前記足部接続架台の前記第１の受器と係合するために適している遠位端部と近位端部とを有する伸長された下部軸と、回転脚部マウントにおいて前記下部軸の前記遠位端部と固定される少なくとも１つの遠位脚部とを備えており、前記少なくとも１つの遠位脚部は、前記下部軸と整列され、それに隣接する格納位置と、前記下部軸と整列され、前記下部軸の前記遠位端部を越えて延在する延在位置との間で位置決め可能であり、前記回転脚部マウントは前記少なくとも１つの遠位脚部及び前記下部軸の相対回転位置を選択的に固定するために適している回転ロックを含み、前記少なくとも１つの遠位脚部は表面グリップによりその遠位端部において終端し、
それによって、前記下部軸の前記近位端部及び前記少なくとも１つの遠位脚部の前記表面グリップが前記支持面に当接しながら、前記足部接続架台の高さ及び角度が前記支持面上で運動を行うために確立されてもよい、
運動用装置。
【請求項７】
前記下部軸の前記遠位端部及び前記足部接続架台の前記第１の受器はピンロック機構を含み、それによって、ロックピンが前記足部接続架台を前記下部軸の前記遠位端部に固定するために選択的に用いられてもよい、請求項６に記載の運動用装置。
【請求項８】
前記回転脚部マウントの前記回転ロックは前記少なくとも１つの遠位脚部の前記近位端部を横切るアクスルを含み、前記回転ロックは、それを通ってピンが複数のピンストップの任意の１つと係合して前記少なくとも１つの遠位脚部及び前記下部軸の前記相対回転位置を選択的に固定するロック板を含む、請求項６に記載の運動用装置。
【請求項９】
請求項６に記載の運動用装置であって、前記下部ベンチの前記下部軸の前記近位端部は更に第２の受器を含み、前記運動用装置は更に上部ベンチを含み、
前記上部ベンチは、前記下部軸の前記第２の受器と係合するために適している遠位端部と近位端部とを有する伸長された上部軸と、回転脚部マウントにおいて前記上部軸の前記近位端部と固定される少なくとも１つの近位脚部とを備えており、前記少なくとも１つの近位脚部は、前記上部軸と整列され、それに隣接する前記格納位置と、前記上部軸と整列され、前記上部軸の前記近位端部を越えて延在する前記延在位置との間で位置決め可能であり、前記回転脚部マウントは前記少なくとも１つの近位脚部及び前記上部軸の前記相対回転位置を選択的に固定するために適している前記回転ロックを含み、前記少なくとも１つの近位脚部は前記表面グリップによりその遠位端部において終端し、
それによって、前記少なくとも１つの近位脚部の前記表面グリップが前記支持面に当接しながら、前記足部接続架台並びに上部及び下部ベンチの高さ及び角度が前記装置上で運動を行うために確立されてもよい、
運動用装置。
【請求項１０】
前記上部軸の前記近位端部及び前記下部軸の前記第２の受器は第２のピンロック機構を含み、それによって、ロックピンが前記下部軸の前記近位端部を前記上部軸の前記遠位端部に固定するために選択的に用いられてもよい、請求項９に記載の運動用装置。
【請求項１１】
前記上部軸の前記回転脚部マウントの前記回転ロックは前記少なくとも１つの近位脚部の近位端部を横切る前記アクスルを含み、前記回転ロックは、それを通って前記ピンが前記複数のピンストップの任意の１つと係合して前記少なくとも１つの近位脚部及び前記上部軸の前記相対回転位置を選択的に固定する前記ロック板を含む、請求項９に記載の運動用装置。
【請求項１２】
前記上部軸の上側は、その上をベンチ台車が前記上部軸の前記近位端部と前記遠位端部との間で摺動するトラックを含み、前記ベンチ台車はその上側において少なくとも１つのクッションと、一対の横方向に延在するハンドルと、前記トラックと係合する少なくとも第１の対の車輪とを含む、請求項９に記載の運動用デバイス。
【請求項１３】
前記ベンチ台車は、更に、その遠位側から離間して延在するランバーサポートクッションを含む、請求項１２に記載の運動用デバイス。
【請求項１４】
前記トラックは複数のロック用開口部を含み、前記ベンチ台車はピン開口部を含み、そのため、前記ベンチ台車は、ロックピンを前記ベンチ台車の前記ピン開口部及び前記トラックの前記複数のピン開口部の１つを通って挿入することによって前記トラックに対して所定位置に固定することができる、請求項１２に記載の運動用デバイス。
【請求項１５】
前記トラックは少なくとも一対の車輪用切欠きを含み、前記ベンチ台車は、前記上部軸の前記トラックを通って延在し、前記上部軸の内面と係合する第２の対の車輪において終端する車輪ポストを含み、そのため、前記第２の対の車輪が前記切欠きと整列される場合、前記ベンチ台車を前記上部ベンチから取り外すことができる、請求項１２に記載の運動用デバイス。
【請求項１６】
請求項９に記載の運動用デバイスであって、第３の対の車輪が前記上部軸の前記近位端部を越えて延在し、前記足部接続架台は前記底板の遠位端部に形成される引きハンドルを含み、そのため、前記近位及び遠位脚部のそれらの格納位置で、前記足部接続架台の前記引きハンドルは、前記第３の対の車輪上で前記支持面に沿って前記装置を転動させるように、持ち上げられ、引っ張られてもよい、運動用デバイス。
【請求項１７】
請求項９に記載の運動用デバイスであって、第３の対の車輪は前記上部軸の前記近位端部を越えて延在し、前記下部軸の前記遠位端部はそれに形成される引きハンドルを含み、そのため、前記近位及び遠位脚部のそれらの格納位置で、前記下部軸の前記引きハンドルは、前記第３の対の車輪上で前記支持面に沿って前記装置を転動させるように、持ち上げられ、引っ張られてもよい、運動用デバイス。
【発明の詳細な説明】
【技術分野】
【０００１】
発明の分野
この発明は運動用デバイスに関し、特に、多目的運動用ベンチ及び足部接続架台に関する。
【背景技術】
【０００２】
関連技術の検討
先行技術は、ユーザが多くの異なる運動を行うことを可能にするための運動用デバイスであふれている。多くの場合、運動用デバイスは、胴、中心部、中間部、腹部直筋、腹横筋、腰背部、内腹斜筋、外腹斜筋、広背筋、前鋸筋、下後鋸筋、脊柱起立筋、外肋間筋、大臀筋、及び中臀筋群等の多くの筋肉群を鍛える多数の異なる運動を可能にすることが望まれる。しかし、従来、これらの筋肉群の多くの運動を可能にするとされているいずれの運動用デバイスも比較的かさばり、運搬、保管、及び使用するのが難しい。
【０００３】
従って、その様々な構成部品の高さ、角度、及び回転の多彩な調整により、これらの筋肉群の全てを鍛えることを可能にするデバイスに対するニーズが存在する。必要とされるかかるデバイスは、運搬及び保管を容易にするために格納位置に折り畳んだ場合に比較的コンパクトになる。必要とされるかかる発明は、更に、製造するのに比較的安価であり、セットアップ、再構成、及び使用が容易である。本発明はこれらの目的を達成している。
【発明の概要】
【課題を解決するための手段】
【０００４】
発明の概要
本デバイスは、床等の支持面上で人によって使用されるための運動用装置である。足部接続架台はヒンジで後板に枢動自在に固定される底板を備える。後板は踏み板の底部側と回動自在に固定される中央枢軸を含む。回転ヒンジは、底板との後板及び踏み板の回転位置を固定するのに適している選択的に調整可能な締付ノブを含むのが好ましい。
【０００５】
踏み板は、人の足が踏み板の上側又はそれに貼付された少なくとも１つのクッションに当接する間、人の脛部と係合するためのその上側から遠ざかる方向へ延設する脛部係合機構を有する。脛部係合機構はそれから横方向に突出する一対のＵ字形脛当てを含む。
【０００６】
底板及び踏み板は、更に、底板と踏み板との間の相対回転位置を選択的に固定するために適している回転ロック機構を含むのが好ましい。底板は、更に、それから上方に突出し、その上に少なくとも１つの環状ウエイトを受けるのに適しているウエイト用ロッドを含む。或いは、ドア又は他の重量物がウエイト用ロッド又は底板と係合されて支持面上に底板を維持してもよい。
【０００７】
足部接続架台は更に第１の受器を含み、運動用装置は更に下部ベンチを含む。下部ベンチは、足部接続架台の第１の受器と係合するために適している遠位端部と近位端部とを有する伸長された下部軸を備える。
【０００８】
一実施形態において、２つの剛体遠位脚部のそれぞれは回転脚部マウントにおいて下部軸の遠位端部と固定される。遠位脚部は、下部軸と整列され、それに隣接する格納位置と、下部軸の遠位端部を越えて延在する延在位置との間で位置決め可能である。回転脚部マウントは脚部及び下部軸の相対回転位置を選択的に固定するために適している回転ロックを含む。脚部はそれぞれ、表面グリップによりその遠位端部において終端するのが好ましい。このため、下部軸の近位端部及び各脚部の表面グリップが支持面に当接しながら、足部接続架台及び下部ベンチの高さ及び角度が運動を行うために選択されてもよい。
【０００９】
遠位脚部の第１の実施形態は、また、各遠位脚部の近位端部において、遠位脚部が下部軸の遠位端部から離間して横方向外側に枢動することを可能にするのに適している垂直枢軸も含んでいてもよい。垂直枢軸は、複数のピンストップを更に含んでいてもよい枢軸ハウジング内部に捕らえられる。かかる実施形態において、各脚部の近位端部は、更に、枢軸ハウジングの複数のピンストップのいずれかと係合して下部軸に対する脚部の枢動位置を選択的に固定するために適しているバネ付勢されるピンを含む。
【００１０】
発明の脚部の第２の及び好ましい実施形態において、一対の脚部は主軸及び２つの横方向突出軸を有する単一のＴ字形脚部の形を取っている。アクスルはＴ字形脚部の近位端部及び第２の枢軸ハウジングの枢軸開口部を横切る。枢軸ハウジングは、更に、それを通ってロックピンが複数のピンストップの任意の１つと係合してＴ字形脚部及び下部軸の相対回転位置を選択的に固定する少なくとも１つのロック板を含む。下部軸の遠位端部及び足部接続架台の第１の受器はピンロック機構を含んでいてもよく、そのため、ロックピンが足部接続架台を下部軸の遠位端部に固定するために選択的に用いられてもよい。
【００１１】
下部ベンチの下部軸の近位端部は、更に、上部ベンチと係合するための第２の受器を含む。伸長された上部軸は下部軸の第２の受器と係合するために適している遠位端部と近位端部とを有する。少なくとも１つの近位脚部は、少なくとも１つの近位脚部がその延在位置にある場合に上部軸の近位端部を越えて延在してもよいように、少なくとも１つの遠位脚部の第１又は第２の実施形態のどちらか一方と度に配向されることを除いて全く同様に、その近位端部において回転脚部マウントで上部軸の近位端部と固定される。各近位脚部は表面グリップによりその遠位端部において終端する。
【００１２】
かかる実施形態において、上部軸の遠位端部及び下部軸の第２の受器は、ロックピンが下部軸の近位端部を上部軸の遠位端部に選択的に固定するために用いられてもよいように、第２のピンロック機構を含む。
【００１３】
上部軸の上側は、その上をベンチ台車が上部軸の近位及び遠位端部間で摺動するトラックを含んでいる。ベンチ台車はその上側において少なくとも１つのクッションと、一対の横方向に延在するハンドルと、トラックと係合する少なくとも第１の対の車輪とを含む。ベンチ台車は、更に、その遠位側から離間して延在するランバーサポートクッションを含んでいてもよい。
【００１４】
トラックは複数のロック用開口部を含むのが好ましく、ベンチ台車はピン開口部を含む。このため、ベンチ台車は、ロックピンをベンチ台車のピン開口部及びトラックの複数のロック用開口部の１つを通って挿入することによってトラックに対して所定位置に固定することができる。トラックは、更に、少なくとも一対の車輪用切欠きを含み、ベンチ台車は、上部軸のトラックを通って延在し、上部軸の内面と係合する第２の対の車輪において終端する車輪ポストを含んでいる。このため、第２の対の車輪が切欠きと整列される場合、ベンチ台車を上部ベンチから取り外すことができる。
【００１５】
第３の対の車輪は上部軸の近位端部を越えて延在するのが好ましい。かかる実施形態における足部接続架台は底板の遠位端部に形成される引きハンドルを含む。このため、近位及び遠位脚部がそれぞれそれらの格納位置にある状態で、足部接続架台の引きハンドルは、第３の対の車輪上で支持面に沿って装置を転動させるように、持ち上げられ、引っ張られてもよい。同様に、下部軸の遠位端部は、また、足部接続架台が下部軸から取り外されたとしても、装置が支持面に沿って転動されてもよいように、引きハンドルの１つを含んでいてもよい。
【００１６】
補助ベンチが、ベンチ台車及び任意選択的に足部接続架台を取り外すことによって上部及び下部ベンチに取り付けられてもよい。補助ベンチは一対の機械的締結具において上部及び下部ベンチに又はトラックに選択的に取り付けられてもよい。オプションの座席アタッチメントが補助ベンチの遠位端部と選択的に固定されてもよい。このため、近位及び遠位脚部をそれらの様々な位置に位置決めすることによって、補助ベンチは後ろに倒すか、傾斜させるか、又は水平にしてもよい。
【００１７】
本デバイスは、装置の様々な構成部品の高さ、角度、及び回転の多彩な調整により、胴、中心部、中間部、腹部直筋、腹横筋、腰背部、内腹斜筋、外腹斜筋、広背筋、前鋸筋、下後鋸筋、脊柱起立筋、外肋間筋、大臀筋、及び中臀筋群を鍛えることを可能にする。本デバイスは、運搬及び保管を容易にするために格納位置に折り畳んだ場合に比較的コンパクトになり、製造するのに比較的安価であり、セットアップ、再構成、及び使用が容易である。本発明の他の特徴及び利点は、例として発明の原理を図示する添付図面と併せて理解される以下のより詳細な説明から明らかとなるであろう。
【図面の簡単な説明】
【００１８】
【図１】運動する人によって用いられるように示される、発明の足部接続架台の斜視図である。
【図２】図１に示すようなものではあるが、ウエイトがそれに取り付けられていない足部接続架台の拡大斜視図である。
【図３】発明の足部接続架台の代替実施形態の後面斜視図である。
【図４】発明の脚部の第１の実施形態を示し、脛当て位置調整機構の図示を明確にするために１つの脛当てが省略された状態で示される、追加された下部ベンチアセンブリを有する図３の斜視図である。
【図５】ロック板及びピン編成を示すよう一部を切り欠いた図４の回転脚部マウントの斜視図である。
【図６】下部ベンチの下部軸の遠位端部の部分斜視図である。
【図７】追加された上部ベンチを有し、更に、発明の脚部の第２の実施形態を示す図４の斜視図である。
【図８】上部ベンチの近位端部の部分斜視図である。
【図９】第１の構成において運動する人によって使用されているように示す図７の発明の斜視図である。
【図１０】足部接続架台を９０度回転させて運動する人によって使用されているように示す図７の発明の斜視図である。
【図１１】その脚部が完全な格納位置にある状態を示す発明の平面図である。
【図１２Ａ】第１の構成から、ベンチ台車の取外し及びその長ベンチとの交換を有する第２の構成へ動かされる発明を示す側面図である。
【図１２Ｂ】第２の構成における、且つ、足部接続架台が取り外された発明の側面図である。
【図１２Ｃ】近位脚部が完全な延在位置にあり、遠位脚部がベンチに対して略９０度にある状態を示す発明の側面図である。
【図１２Ｄ】遠位脚部が完全な延在位置にあり、近位脚部がベンチに対して略９０度にある状態を示し、更に、ベンチに取り付けられるような背もたれを示す発明の側面図である。
【図１３Ａ】脚部の第１の実施形態を有し、ベンチから離間されて部分的に角度が付けられた脚部を示す発明の平面図である。
【図１３Ｂ】ベンチから離間されて更に角度が付けられた脚部を示す、図１３Ａに示すような発明の平面図である。
【発明を実施するための形態】
【００１９】
好ましい実施形態の詳細な説明
発明の図示する実施形態を以下で説明する。以下の説明は、これらの実施形態の完全な理解のための、及び、これらの実施形態のための説明を可能にする特定の詳細を提供する。当業者は、かかる詳細がなくても発明が実施されてもよいことを理解するであろう。他の例では、周知の構造及び機能は、実施形態の説明を不必要に曖昧にすることを避けるために詳細に示されていないか、説明されていなかった。
【００２０】
特に文脈が明確に必要としない限り、説明及び特許請求の範囲の全体を通して、用語「含む（comprise)」、「含んでいる（comprising)」等は、排他的又は網羅的な意味とは対照的な包括的な意味、すなわち、「以下を含むが、それらに限定されない」という意味で解釈されるものとする。単数又は複数を用いる用語は、それぞれ、複数又は単数も含んでいる。加えて、用語「本明細書中」、「上記」、「下記」、及び同様を意味する用語は、この出願において用いる場合、全体としてこの出願に言及するものとし、この出願の任意の特定部分に言及していない。特許請求の範囲が２つ以上の品目のリストに関連して用語「又は」を用いる場合、その用語は用語の以下の：リスト内の品目のいずれか、リスト内の品目の全て、及びリスト内の品目の任意の組み合わせの解釈の全てに及ぶ。用語「各」が数の上で少なくとも１つであるものとして前記で紹介された構成要素に言及するために用いられる場合、用語「各」は必ずしも複数の構成要素を暗に意味するとは限らないが、単数の構成要素も意味することができる。
【００２１】
図１〜３は、床等の支持面１５上で人２０によって使用されるための運動用装置１０を示している。足部接続架台３０は、ヒンジ６０で剛体の、好ましくは金属製の後板５０に枢動自在に固定される剛体の、好ましくは金属製の底板４０を備える。後板５０は剛体の、好ましくは金属製の踏み板７０の底部側７２と回動自在に固定される中央枢軸５５を含む。回転ヒンジ６０は、底板４０に対する後板５０及び踏み板７０の回転位置を摩擦により固定するのに適している選択的に調整可能な締付ノブ６５（図２）を含むのが好ましい。一実施形態において、当該技術において公知のような回転ヒンジ６０内部の径方向に整列される鋸歯状歯（図示せず）は、８から１０度単位で底板４０との踏み板７０の個別の角度調整を提供する。このため、底板４０に対する後板５０及び踏み板７０の回転位置は、人２０によって望まれた場合、選択的に設定されてもよい。
【００２２】
踏み板７０は、人の足２４が踏み板７０の上側７８又はそれに貼付されたクッション７９に当接する間、人２０の脛部２２と係合するためにその上側７８から遠ざかる方向へ延設する脛部係合機構８０を有する。脛部係合機構８０は、それから横方向に突出する一対のＵ字形脛当て８２を含んでいる（図４、図示を明確にするために脛当て８２の一方を省略）。任意選択的に、クッション付き脛当て８２は、ねじ付きロッド８８及び回転ノブ８９を含んでいてもよい台車移動機構８６により踏み板７０に接近するか又は遠ざかるよう調整可能に移動する脛当て台車８４、又は、一対の脛当て８２を踏み板７０に対して上下に移動させるための他の類似の機構の上に固定されてもよい。
【００２３】
底板４０及び踏み板７０は、更に、底板４０と踏み板７０との間の相対回転位置を選択的に固定するために適している回転ロック機構９０を含むのが好ましい。かかる回転ロック機構９０は、例えば、それぞれが中央枢軸５５から共通距離Ｄに配置される複数のロック用開口部９２と、踏み板７２に固定され、ピン９６をロック用開口部９２の１つに付勢するように偏向される解除レバー９４及びピン９６編成とを含んでいてもよい。このため、解除レバー９４を上方に引くことは、ピン９６をロック用開口部９２から引き出して、踏み板７０が枢軸５５を中心として後板５０に対して回転することを可能にする。解除レバー９４は、運動中に踏み板７０が後板５０上で自由に回転するように、必要に応じて完全に格納された位置（図示せず）に設定されてもよい。
【００２４】
底板４０は、更に、それから上方に突出し、その上に少なくとも１つの環状ウエイト１６を受けるのに適しているウエイト用ロッド４９（図１）を含むのが好ましい。或いは、ドア又は他の重量物（図示せず）がウエイト用ロッド４９又は底板４０と係合されて支持面１５上に底板４０を維持してもよい。ウエイト用ロッド４９は必要に応じて底板４０と整列させるよう下方に枢動されてもよい（図４）。
【００２５】
足部接続架台３０は更に第１の受器１００を含み、運動用装置１０は更に下部ベンチ１１０（図４）を含むのが好ましい。下部ベンチは足部接続架台３０の第１の受器１００と係合するために適している遠位端部１２８と近位端部１２２とを有する剛体の、好ましくは金属製の、伸長された下部軸１２０を備える。
【００２６】
一実施形態において、２つの剛体遠位脚部１３０のそれぞれは回転脚部マウント１４０において下部軸１２０の遠位端部１２８と固定される（図４〜６及び１３Ａ〜１３Ｃ）。遠位脚部１３０は、下部軸１２０と整列され、それに隣接する格納位置１５０（図１３Ｃ）と、下部軸１２０の遠位端部１２８を越えて延在する延在位置１６０（図１２Ｄ）との間で位置決め可能である。回転脚部マウント１４０は脚部１３０及び下部軸１２０の相対回転位置を選択的に固定するために適している回転ロック１４２を含んでいる。脚部１３０はそれぞれ、表面グリップ１３９によりその遠位端部１３８において終端するのが好ましい。このため、下部軸１２０の近位端部１２２及び各脚部１３０の表面グリップ１３９が支持面１５に当接しながら、足部接続架台３０及び下部ベンチ１１０の高さ及び角度が運動を行うために選択されてもよい。
【００２７】
回転脚部マウント１４０の回転ロック１４２、脚部１３０の第１の実施形態は、各脚部１３０の近位端部１３２間に固定されるアクスル１４４（図５）を含む。アクスル１４４は、それを通ってバネ付勢されるピン１４６が複数のピンストップ１４７の任意の１つと係合して脚部１３０及び下部軸１２０の相対回転位置を選択的に固定するロック板１４５を含む。
【００２８】
遠位脚部１３０の第１の実施形態は、また、各遠位脚部１３０の近位端部１３２において、遠位脚部１３０が下部軸１２０の遠位端部１２８から離間して横方向外側に枢動することを可能にするのに適している垂直枢軸１３３も含んでいてもよい（図５、１３Ａ、１３Ｂ）。垂直枢軸１３３は、複数のピンストップ１３５を更に含んでいてもよい枢軸ハウジング１３４内部に捕らえられる。かかる実施形態において、各脚部１３０の近位端部１３２は、更に、枢軸ハウジング１３４の複数のピンストップ１３５のいずれかと係合して下部軸１２０に対する脚部１３０の枢動位置を選択的に固定するために適しているバネ付勢されるピン１３６を含む。
【００２９】
発明の脚部１３０の第２及び好ましい実施形態（図７〜１２Ｄ）において、一対の脚部１３０は、主軸３３４及び２つの横方向突出軸３３６を有する単一のＴ字形脚部３３０の形を取っている。アクスル３３３は、Ｔ字形脚部３３０の近位端部３３２及び第２の枢軸ハウジング３４０の枢軸開口部（図示せず）ｖを横切る。枢軸ハウジング３４０は、更に、それを通ってロックピン３５０が複数のピンストップ３４７の任意の１つと係合してＴ字形脚部３３０及び下部軸１２０の相対回転位置を選択的に固定する少なくとも１つのロック板３４６を含む。
【００３０】
下部軸１２０の遠位端部１２８及び足部接続架台３０の第１の受器１００は、ロックピン１７６が足部接続架台３０を下部軸１２０の遠位端部１２８に固定するために選択的に用いられてもよいように、ピンロック機構１７０（図６及び１２Ｂ）を含んでいてもよい。
【００３１】
下部ベンチ１１０の下部軸１２０の近位端部１２２は、更に、上部ベンチ１９０（図７〜１３Ｃ）と係合するための第２の受器１８０を含むのが好ましい。剛体の、好ましくは金属製の、伸長された上部軸２００は下部軸１２０の第２の受器１８０と係合するために適している遠位端部２０８と近位端部２０２とを有する。少なくとも１つの近位脚部２１０は、少なくとも１つの近位脚部２１０がその延在位置１６０にある場合に上部軸２００の近位端部２０２を越えて延在してもよいように、少なくとも１つの遠位脚部１３０の第１又は第２の実施形態のどちらか一方と１８０度に配向されることを除いて全く同様に、その近位端部２１２において回転脚部マウント１４０で上部軸２００の近位端部２０２と固定される。各近位脚部２１０は表面グリップ１３９によりその遠位端部２１８において終端する。
【００３２】
かかる実施形態において、上部軸２００の遠位端部２０８及び下部軸１２０の第２の受器１８０は、ロックピン３７６が下部軸１２０の近位端部１２２を上部軸２００の遠位端部２０８に選択的に固定するために用いられてもよいように、第２のピンロック機構３７０（図７）を含む。
【００３３】
上部軸２００の上側２０９は、その上をベンチ台車２３０が上部軸２００の近位及び遠位端部２０２、２０８間で摺動するトラック２２０を含んでいる。ベンチ台車２３０はその上側２３９において少なくとも１つのクッション２４０と、一対の横方向に延在するハンドル２５０と、トラック２２０と係合する少なくとも第１の対の車輪２６０（図８）とを含む。ベンチ台車２３０は、更に、その遠位側２３８から離間して延在するランバーサポートクッション２７０（図１１）を含んでいてもよい。
【００３４】
トラック２２０は複数のロック用開口部２８０（図８）を含むのが好ましく、ベンチ台車２３０はピン開口部２９０を含む。このため、ベンチ台車２３０は、ロックピン３００をベンチ台車２３０のピン開口部２９０及びトラック２２０の複数のロック用開口部２８０の１つを通って挿入することによってトラック２２０に対して所定位置に固定することができる。トラック２２０は、更に、少なくとも一対の車輪用切欠き２２８を含み、ベンチ台車２３０は、上部軸２００のトラック２２０を通って延在し、上部軸２００の内面と係合する第２の対の車輪２３６において終端する車輪ポスト２３５を含んでいる。このため、第２の対の車輪２３６が切欠き２２８と整列される場合、ベンチ台車２３０を上部ベンチ１９０から取り外すことができる。
【００３５】
第３の対の車輪３１０は上部軸２００の近位端部２０２を越えて延在するのが好ましい。かかる実施形態における足部接続架台３０は底板４０の遠位端部４８に形成される引きハンドル３２０（図４及び７）を含む。このため、近位及び遠位脚部２１０、１３０がそれぞれそれらの格納位置１５０にある状態で、足部接続架台３０の引きハンドル３２０は、第３の対の車輪３１０上で支持面１５に沿って装置１０を転動させるように、持ち上げられ、引っ張られてもよい。同様に、下部軸１２０の遠位端部１２８は、また、足部接続架台３０が下部軸１２０から取り外された（図１１）としても、装置１０が支持面１５に沿って転動されてもよいように、引きハンドル３２０の１つを含んでいてもよい。
【００３６】
補助ベンチ３６０（図１２Ａ〜１２Ｄ）が、ベンチ台車２３０及び任意選択的に足部接続架台３０を取り外すことによって上部及び下部ベンチ１９０、１１０に取り付けられてもよい。補助ベンチ３６０は一対の機械的締結具３６５において上部及び下部ベンチ１９０、１１０に又はトラック２２０に選択的に取り付けられてもよい。このため、近位及び遠位脚部２１０、１３０をそれらの様々な位置に位置決めすることによって、補助ベンチ３６０は後ろに倒すか、傾斜させるか、又は水平にしてもよい。オプションの枢動座席部分３７０が補助ベンチ３６０の遠位端部において含まれてもよく、補助ベンチ３６０に対して分離して傾斜させるか、又は、回転させて補助ベンチ３６０と整列させてもよい（図１２Ｂ）。ブラケット及びノブ機構３７５が補助ベンチ３６０に対する座席部分３７０の回転を選択的に位置決めするために含まれる。
【００３７】
発明のある特定の特徴又は態様を説明する場合に用いられる特定の用語は、用語を、その用語が関連する発明の任意の特定の特性、特徴、又は態様に限定するよう本明細書中で再定義するものであることを暗に意味するよう取るべきではない。一般に、以下の特許請求の範囲において用いられる用語は、上記の詳細な説明欄がかかる用語を明確に定義しない限り、発明を明細書内に開示した特定の実施形態に限定するよう解釈するべきではない。従って、発明の実際の適用範囲は開示した実施形態だけではなく、発明を実施又は実装する全ての同等の方法も包含する。
【００３８】
発明の実施形態の上記詳細な説明は、網羅するか又は上で開示する精確な形態或いはこの開示において述べた使用の特定の分野に発明を制限する意図はない。発明の特定の実施形態及びそのための実施例を例示する目的のために上で説明したが、様々な同等の修正が、当業者が認識するように、発明の適用範囲内で可能である。また、本明細書中に提供する発明の教示は、必ずしも上記で説明したシステムではなく、他のシステムにも適用できる。上記で説明した様々な実施形態の構成要素及び作用は更なる実施形態を提供するために組み合わされてもよい。
【００３９】
上記特許及び出願並びに他の引用の全ては、添付の提出書類に掲載されている可能性のあるいずれかを含み、引用して本明細書中に組み込む。発明の態様は、必要であれば、発明の更なる実施形態を提供するために、上で説明した様々な引用のシステム、機能、及び概念を採用するよう変更してもよい。
【００４０】
変更は上記の「詳細な説明」を踏まえて発明に対して行うことができる。上記の説明は発明のある特定の実施形態を詳述し、考えられる最良の形態を説明する一方で、上記が文章内でどのように詳細に出現していようと、発明は多くの方法で実施することができる。従って、実施詳細は、本明細書中に開示する発明によって依然として網羅されている間、大幅に変化してもよい。上で述べたように、発明のある特定の特徴又は態様を説明する場合に用いられる特定の用語は、用語を、その用語が関連する発明の任意の特定の特性、特徴、又は態様に限定するよう本明細書中で再定義するものであることを暗に意味するよう取るべきではない。
【００４１】
発明のある特定の態様をある特定の特許請求の範囲の形で以下に示す一方で、発明者は発明の様々な態様を任意の数の請求項の形で考えている。従って、発明者は、発明の他の態様に対するかかる追加請求項の形を追求するため、追加の請求項を出願の提出後に追加する権利を保有する。
【図１】
2019511300.tif 000003
【図２】
2019511300.tif 000004
【図３】
2019511300.tif 000005
【図４】
2019511300.tif 000006
【図５】
2019511300.tif 000007
【図６】
2019511300.tif 000008
【図７】
2019511300.tif 000009
【図８】
2019511300.tif 000010
【図９】
2019511300.tif 000011
【図１０】
2019511300.tif 000012
【図１１】
2019511300.tif 000013
【図１２Ａ】
2019511300.tif 000014
【図１２Ｂ】
2019511300.tif 000015
【図１２Ｃ】
2019511300.tif 000016
【図１２Ｄ】
2019511300.tif 000017
【図１３Ａ】
2019511300.tif 000018
【図１３Ｂ】
2019511300.tif 000019
【国際調査報告】
2019511300.tif 000020